(57)【特許請求の範囲】
【請求項１】
（ａ）読取媒体を載置するための媒体載置部と、
（ｂ）該媒体載置部より下方に配設された画像読取部と、
（ｃ）該画像読取部内において主走査方向に延在させて、かつ、副走査方向において前記媒体載置部に対して移動自在に配設され、前記読取媒体の画像を読み取るための読取部と、
（ｄ）前記画像読取部内において前記媒体載置部に隣接させて配設され、粉塵が画像読取部内に進入するのを防止するシート部材とを有するとともに、
（ｅ）前記読取部又は前記シート部材は、読取部の移動方向に対して傾斜させて形成された傾斜部を備え、
（ｆ）該傾斜部は、前記読取部又は前記シート部材の縁部の２箇所に設定された、切り込み開始点から切り込み終了点まで延びる第１、第２の切込み縁によって形成されることを特徴とする画像読取装置。
【請求項２】
前記シート部材は、自動原稿搬送装置から搬送された読取媒体の画像を読み取るための読取部位と、前記媒体載置部との間に配設される請求項１に記載の画像読取装置。
【請求項３】
前記傾斜部は、前記読取部の主走査方向において、前記切り込み終了点に対して左右対称に形成される請求項１又は２に記載の画像読取装置。
【請求項４】
前記読取部又は前記シート部材の縁部に、前記第１、第２の切込み縁によって凹形状の切込みが形成される請求項１〜３のいずれか１項に記載の画像読取装置。
【請求項５】
前記傾斜部はシート部材における媒体載置部側の縁部に形成される請求項１〜４のいずれか１項に記載の画像読取装置。
【請求項６】
前記請求項１〜５のいずれか１項に記載の画像読取装置、及び画像形成装置が搭載された複合機。
【発明の詳細な説明】
【技術分野】
【０００１】
本発明は、画像読取装置及び複合機に関するものである。
【背景技術】
【０００２】
従来、複合機は、印刷、複写、ファクシミリ通信、画像読取り等の各機能を併せ備えるようになっていて、用紙に画像を形成するための画像形成装置としてのプリンタ部、及び原稿の画像を読み取るための画像読取装置としてのスキャナ部を備える。
【０００３】
該スキャナ部には、自動原稿搬送装置が配設され、該自動原稿搬送装置にセットされた原稿が、読取部位に送られ、該読取部位において、原稿の画像が読取部としての読取センサによって読み取られる。そして、原稿は、前記読取部位に隣接させて配設された原稿すくい上げ部材によってすくい上げられ、排出ローラによってスタッカ部に排出される。
【０００４】
前記読取部位には、原稿すくい上げ部材に隣接させて自動原稿搬送装置用読取りガラスが配設され、該自動原稿搬送装置用読取りガラスを介して自動原稿搬送装置から送られた原稿と読取センサとが対向させられる（例えば、特許文献１参照。）。
【先行技術文献】
【特許文献】
【０００５】
【特許文献１】特開２００５−５９５７号公報
【発明の概要】
【発明が解決しようとする課題】
【０００６】
しかしながら、前記従来のスキャナ部においては、粉塵が、原稿すくい上げ部材と自動原稿搬送装置用読取りガラスとの隙間を介してスキャナ部内に進入することがあり、その場合、粉塵が読取センサに付着すると、画像の読取り精度が低くなってしまう。
【０００７】
そこで、原稿すくい上げ部材と自動原稿搬送装置用読取りガラスとの隙間をシール部材によって閉鎖することが考えられるが、該シール部材と読取センサとが何らかの理由で接触することがあり、その場合、読取センサを円滑に移動させることができなくなってしまう。
【０００８】
本発明は、前記従来のスキャナ部の問題点を解決して、読取部を円滑に移動させることができる画像読取装置及び複合機を提供することを目的とする。
【課題を解決するための手段】
【０００９】
そのために、本発明の画像読取装置においては、読取媒体を載置するための媒体載置部と、該媒体載置部より下方に配設された画像読取部と、該画像読取部内において主走査方向に延在させて、かつ、副走査方向において前記媒体載置部に対して移動自在に配設され、前記読取媒体の画像を読み取るための読取部と、前記画像読取部内において前記媒体載置部に隣接させて配設され、粉塵が画像読取部内に進入するのを防止するシート部材とを有する。
【００１０】
そして、前記読取部又は前記シート部材は、読取部の移動方向に対して傾斜させて形成された傾斜部を備える。
また、該傾斜部は、前記読取部又は前記シート部材の縁部の２箇所に設定された、切り込み開始点から切り込み終了点まで延びる第１、第２の切込み縁によって形成される。
【発明の効果】
【００１１】
本発明によれば、画像読取装置においては、読取媒体を載置するための媒体載置部と、該媒体載置部より下方に配設された画像読取部と、該画像読取部内において主走査方向に延在させて、かつ、副走査方向において前記媒体載置部に対して移動自在に配設され、前記読取媒体の画像を読み取るための読取部と、前記画像読取部内において前記媒体載置部に隣接させて配設され、粉塵が画像読取部内に進入するのを防止するシート部材とを有する。
【００１２】
そして、前記読取部又は前記シート部材は、読取部の移動方向に対して傾斜させて形成された傾斜部を備える。
また、該傾斜部は、前記読取部又は前記シート部材の縁部の２箇所に設定された、切り込み開始点から切り込み終了点まで延びる第１、第２の切込み縁によって形成される。
【００１３】
この場合、媒体載置部に隣接させてシート部材が配設され、読取部又はシート部材に、読取部の移動方向に対して傾斜させて傾斜部が形成されるので、読取媒体が媒体載置部の透過板に押し付けられ、透過板が湾曲して読取部とシート部材とが接触することがあっても、接触抵抗を小さくすることができる。したがって、読取部を円滑に移動させることができる。
【図面の簡単な説明】
【００１４】
【図１】本発明の第１の実施の形態における原稿載置部の要部断面図である。
【図２】本発明の第１の実施の形態における複合機の斜視図である。
【図３】本発明の第１の実施の形態におけるプリンタ部の概略図である。
【図４】本発明の第１の実施の形態におけるスキャナ部の断面図である。
【図５】本発明の第１の実施の形態における原稿載置部の斜視図である。
【図６】本発明の第１の実施の形態における画像読取部の斜視図である。
【図７】本発明の第１の実施の形態における画像読取部の断面図である。
【図８】本発明の第１の実施の形態における冊子状の原稿の画像を読み取る場合の画像読取部の縦断面図である。
【図９】本発明の第１の実施の形態における冊子状の原稿の画像を読み取る場合の画像読取部の横断面図である。
【図１０】本発明の第１の実施の形態における原稿載置部の裏面を示す斜視図である。
【図１１】本発明の第１の実施の形態における切込みの拡大図である。
【図１２】本発明の第２の実施の形態における読取センサの斜視図である。
【図１３】本発明の第３の実施の形態における読取センサの斜視図である。
【発明を実施するための形態】
【００１５】
以下、本発明の実施の形態について図面を参照しながら詳細に説明する。
【００１６】
図２は本発明の第１の実施の形態における複合機の斜視図である。
【００１７】
図に示されるように、複合機１０は、記録用の媒体としての図示されない用紙に画像を形成する画像形成装置としてのプリンタ部２０、及び該プリンタ部２０の上に配設され、図示されない原稿の画像を読み取る画像読取装置としてのスキャナ部４０を備え、前記プリンタ部２０とスキャナ部４０とは図示されない機械的接続部材を介して連結され、図示されない電送部材を介して電気的に接続される。
【００１８】
前記スキャナ部４０は、原稿の画像を読み取る画像読取部７０、及び該画像読取部７０の上方に配設され、第１の読取媒体としての図示されない用紙状の原稿を自動的に搬送する自動原稿搬送装置（ＡＤＦ）５０を備える。該自動原稿搬送装置５０は、画像読取部７０に対して、ヒンジｈｇを揺動中心にして揺動自在に配設される。なお、１００は複合機１０を操作するための操作部としての操作パネルであり、該操作パネル１００に操作要素としてのボタン、表示要素としてのＬＥＤ画面等が配設される。
【００１９】
複合機１０においては、スキャナ部４０で読み取った画像のデータ、すなわち、画像データをプリンタ部２０に送り、プリンタ部２０で前記画像データに基づいて用紙に画像を形成したり、上位装置としての図示されないパソコンから送信された印刷データをプリンタ部２０で受信し、印刷データに基づいて用紙に画像を形成したり、スキャナ部４０で読み取った画像の画像データをファクシミリ機能によって図示されない外部のファクシミリ装置に送信したり、スキャナ部４０で読み取った画像の画像データを、パソコン、ＵＳＢメモリ等の外部の電子機器に送信したりすることができる。
【００２０】
次に、前記プリンタ部２０について説明する。
【００２１】
図３は本発明の第１の実施の形態におけるプリンタ部の概略図である。
【００２２】
図において、２１は電子写真方式によって用紙に画像を形成する機構部、２２は該機構部２１の下方に配設され、用紙を収納し、機構部２１に供給するための媒体収容部としての用紙カセット、２３は該用紙カセット２２から用紙を１枚ずつ繰り出して機構部２１に供給する給紙部材としての給紙ローラであり、該給紙ローラ２３は図示されないワンウェイクラッチを備える。また、２４は前記給紙ローラ２３によって繰り出された用紙を検出する第１の媒体検出部としてのセンサ、２５は用紙の斜行を矯正するためのレジストローラ、２６は該レジストローラ２５を通過した用紙を検出する第２の媒体検出部としてのセンサ、２７は機構部２１に配設された画像形成部２８に用紙を送る搬送ローラ、２９は前記画像形成部２８による画像の形成を開始するタイミングを設定するために用紙を検出する第３の媒体検出部としてのライトセンサである。
【００２３】
前記画像形成部２８は、ブラック、イエロー、マゼンタ及びシアンの各色の画像を形成するための画像形成ユニット（印字プロセスカートリッジ）Ｂｋ、Ｙ、Ｍ、Ｃを備え、該画像形成ユニットＢｋ、Ｙ、Ｍ、Ｃは、それぞれ、画像形成ユニット本体３０ａ、及び該画像形成ユニット本体３０ａに対して着脱自在に配設された現像剤収容体としての、かつ、現像剤カートリッジとしてのトナーカートリッジ３０ｂを備える。そして、前記各画像形成ユニット本体３０ａは、像担持体としての感光体ドラム３２、該感光体ドラム３２の表面を一様に帯電させる帯電装置としての帯電ローラ３１、感光体ドラム３２の表面に各色の現像剤としてのトナーを付着させて現像剤像としてのトナー像を形成する現像装置としての図示されない現像器等を備える。
【００２４】
また、前記各感光体ドラム３２と対向させて露光装置としての図示されないＬＥＤヘッドが配設され、該ＬＥＤヘッドは、一様に帯電させられた感光体ドラム３２の表面を露光し、潜像としての静電潜像を形成する。
【００２５】
そして、前記画像形成ユニットＢｋ、Ｙ、Ｍ、Ｃより下方には、転写ユニットとしての搬送ベルトユニット３５が配設される。該搬送ベルトユニット３５は、駆動ローラＲ１、従動ローラＲ２、駆動ローラＲ１と従動ローラＲ２とによって、画像形成ユニットＢｋ、Ｙ、Ｍ、Ｃに沿って走行自在に張設されたベルトＢｔ、及び該ベルトＢｔを介して各感光体ドラム３２と対向させて配設された転写部材としての転写ローラ３４を備える。
【００２６】
また、３６は定着装置としての定着器、３７は用紙をプリンタ部２０外に排出するための排出ユニットである。
【００２７】
次に、前記プリンタ部２０の動作について説明する。
【００２８】
前記画像形成ユニットＢｋ、Ｙ、Ｍ、Ｃにおいて、感光体ドラム３２の表面は、帯電ローラ３１によって一様に帯電させられ、ＬＥＤヘッドによって露光されて静電潜像が形成され、該静電潜像は、現像器によって現像されてトナー像になる。
【００２９】
一方、用紙は、用紙カセット２２から給紙ローラ２３によって１枚ずつ繰り出され、画像形成部２８に送られ、ベルトＢｔによって画像形成ユニットＢｋ、Ｙ、Ｍ、Ｃに沿って走行させられる間に、転写ローラ３４によって各色のトナー像が転写され、カラーのトナー像が形成される。
【００３０】
続いて、用紙は、定着器３６を通過し、定着器３６において、カラーのトナー像が定着させられ、カラー画像が形成される。その後、用紙は排出ユニット３７によってプリンタ部２０外に排出される。
【００３１】
次に、前記スキャナ部４０について説明する。
【００３２】
図１は本発明の第１の実施の形態における原稿載置部の要部断面図、図４は本発明の第１の実施の形態におけるスキャナ部の断面図、図５は本発明の第１の実施の形態における原稿載置部の斜視図、図６は本発明の第１の実施の形態における画像読取部の斜視図、図７は本発明の第１の実施の形態における画像読取部の断面図である。なお、図１は図５のＸ−Ｘ断面図、図７は図６のＹ−Ｙ断面図である。
【００３３】
前述されたように、スキャナ部４０は、画像読取部７０及び自動原稿搬送装置５０を備え、該自動原稿搬送装置５０は、ヒンジｈｇを揺動中心にして、画像読取部７０に対して揺動自在に配設される。
【００３４】
前記自動原稿搬送装置５０は、外装部材５１、該外装部材５１から斜めに突出させて形成された搬送用媒体載置部としての原稿トレイ５２、外装部材５１の下端に形成された媒体積載部としてのスタッカ６４等を備え、前記原稿トレイ５２に複数の用紙状の原稿５３がセットされ、前記スタッカ６４に読取りが終了した原稿５３が排出される。
【００３５】
前記外装部材５１内の上端部における原稿トレイ５２には、原稿５３を繰り出すための繰出部材としてのピックアップローラ５４が配設され、該ピックアップローラ５４に隣接させて分離装置１０５が配設される。該分離装置１０５は、分離ローラ５５、及び該分離ローラ５５と対向させて配設された分離パッド５７を備え、原稿トレイ５２から繰り出された原稿５３を１枚ずつ分離させる。
【００３６】
また、前記外装部材５１内には、原稿５３の搬送路５６が、前記分離装置１０５から下方に向けて延在させて、かつ、湾曲させて形成され、該搬送路５６に、搬送ローラ対１０６が配設される。該搬送ローラ対１０６は、搬送ローラ５８、及び該搬送ローラ５８と対向させて配設され、原稿５３を加圧して搬送力を発生させるプレッシャローラ５９を備え、分離装置１０５によって１枚ずつ分離させられた原稿５３を搬送する。
【００３７】
前記搬送路５６の下端には、原稿押え部材６１が配設され、該原稿押え部材６１は、搬送路５６を搬送された原稿５３を、画像読取部７０の上端に配設された第１の透過板としての自動原稿搬送装置用読取ガラス７１に押し付ける。そのために、原稿押え部材６１上に付勢部材としてのスプリング６０が配設され、該スプリング６０は、上端が前記外装部材５１の所定の箇所に固定され、所定の付勢力で原稿押え部材６１を自動原稿搬送装置用読取ガラス７１に向けて付勢する。前記原稿押え部材６１と自動原稿搬送装置用読取ガラス７１との間に原稿５３の画像を読み取るための読取部位ｐ１が形成される。
【００３８】
また、前記外装部材５１の下部には、前記読取部位ｐ１から、前記搬送路５６と反対側に、斜めに立ち上げて排出路４９が形成され、該排出路４９の先端に、排出ローラ対１０７が配設される。該排出ローラ対１０７は、排出ローラ６２、及び該排出ローラ６２と対向させられ、原稿５３を加圧して排出力を発生させるプレッシャローラ６３を備え、読取りが終了した原稿５３を自動原稿搬送装置５０外に排出し、前記スタッカ６４に積載する。前記プレッシャローラ６３はスタッカ６４の一端に回転自在に配設される。
【００３９】
そして、前記画像読取部７０は、箱状の形状を有するボトムフレーム７６、及び該ボトムフレーム７６の上端を覆う媒体載置部としての原稿載置部１１１を備え、前記ボトムフレーム７６及び原稿載置部１１１によって筐体１１２が構成される。該筐体１１２内には、支持体としてのシャフト７３が延在させて架設され、該シャフト７３に沿って読取部としての読取センサ７２が、主走査方向（画像読取部７０の幅方向）に延在させられ、副走査方向（図４における矢印Ａ方向）に移動自在（往復動自在）に配設される。本実施の形態において、前記読取センサ７２は、イメージセンサから成り、ＣＩＳセンサ（コンタクトイメージセンサ）が使用される。また、読取センサ７２は、図示されない光源、反射板、導光体、レンズ、読取要素等を備える。
【００４０】
なお、読取センサ７２は、図４に示される、前記読取部位ｐ１と対向する位置がホームポジションにされ、自動原稿搬送装置５０から送られ、前記読取部位ｐ１を通過する原稿５３の画像を読み取る場合、ホームポジションにおいて停止させられる。また、前記原稿載置部１１１に載置された原稿の画像を読み取る場合、走査用の駆動部としての図示されない走査用モータが駆動され、読取センサ７２は、ホームポジションから原稿載置部１１１側に移動させられ、原稿載置部１１１の下方を移動させられ、画像の読取りが終了すると、ホームポジションに戻される。
【００４１】
また、前記原稿載置部１１１は、トップフレーム７８、前記自動原稿搬送装置用読取ガラス７１、該自動原稿搬送装置用読取ガラス７１と隣接させて配設された媒体案内部材としての原稿すくい上げ部材７４、該原稿すくい上げ部材７４と更に隣接させて、かつ、前記スタッカ６４と対向させて配設された第２の透過板としてのフラットベッド用読取ガラス７５、ＰＥＴ等の樹脂材料によって形成されたシート部材としての、かつ、密封部材としての帯状のシール部材７７等を備える。
【００４２】
前記トップフレーム７８は、図５に示されるように、矩形の形状を有するプレートによって形成され、帯状の周縁部１２１、及び該周縁部１２１によって包囲された矩形の開口１２２を備える。そして、前記周縁部１２１の所定の箇所には、前記原稿すくい上げ部材７４が、両端が周縁部１２１に固定された状態で架設され、原稿すくい上げ部材７４によって前記開口１２２が分割されて開口部７８ａ、７８ｂが形成される。
【００４３】
また、図１０に示されるように、原稿載置部１１１の裏面における、開口部７８ａ、７８ｂを覆う位置に、原稿すくい上げ部材７４を挟んで前記自動原稿搬送装置用読取ガラス７１及びフラットベッド用読取ガラス７５が配設され、前記自動原稿搬送装置用読取ガラス７１は第１の固定要素としての両面接着テープ７９ａ〜７９ｃによって、前記フラットベッド用読取ガラス７５は第２の固定要素としての両面接着テープ８０ａ〜８０ｃによって、トップフレーム７８に接着され固定される。
【００４４】
そして、図７に示されるように、前記フラットベッド用読取ガラス７５は、主走査方向における両縁の近傍において、ボトムフレーム７６の支持部としてのリブ８１によって支持される。該リブ８１は、ボトムフレーム７６の底部７６ａから上方に向けて立ち上げて形成される。
【００４５】
また、図１に示されるように、前記原稿すくい上げ部材７４は、本体部１２５、及び該本体部１２５からスタッカ６４側に向けて突出させて形成された位置合せ部としての突出部１２６を備え、読取部位ｐ１を通過した原稿５３をすくい上げ、排出路４９及び排出ローラ対１０７に案内する。前記本体部１２５は、前記自動原稿搬送装置用読取ガラス７１の端面７１ａと対向させて形成された端面７４ａ、該端面７４ａの上端ａ１から斜めに立ち上げて形成され、凹面（湾曲面）から成る傾斜面７４ｂ、該傾斜面７４ｂの上端（原稿すくい上げ部材７４の最上部）ａ２から突出部１２６にかけて下方に延びる垂下部７４ｃ、前記突出部１２６から下方に延びる垂下部７４ｄ、及び底部７４ｅを備える。
【００４６】
前記フラットベッド用読取ガラス７５は、突出部１２６の下方に配設され、該突出部１２６が、第２の読取媒体としての図示されない冊子状の原稿（例えば、本）を位置合せする際の基準部位として使用される。また、端面７４ａの上端ａ１は、傾斜面７４ｂの開始点とされ、自動原稿搬送装置用読取ガラス７１の上面より低い位置に置かれ、自動原稿搬送装置用読取ガラス７１と原稿すくい上げ部材７４との間に段差が形成される。
【００４７】
そして、自動原稿搬送装置用読取ガラス７１の端面７１ａと原稿すくい上げ部材７４の端面７４ａとの間には隙間が形成され、該隙間を塞ぐために前記シール部材７７が配設される。該シール部材７７は、取付強度を高くするために、自動原稿搬送装置用読取ガラス７１、原稿すくい上げ部材７４及びフラットベッド用読取ガラス７５にわたって取り付けられる。そのために、前記シール部材７７には接着剤が塗布され、自動原稿搬送装置用読取ガラス７１、原稿すくい上げ部材７４及びフラットベッド用読取ガラス７５とシール部材７７とが貼着される。
【００４８】
次に、前記スキャナ部４０の動作について説明する。
【００４９】
まず、自動原稿搬送装置５０によって搬送される原稿５３の画像を読み取る場合について説明する。
【００５０】
まず、操作者が、原稿トレイ５２に原稿５３をセットし、前記操作パネル１００のボタンのうちのスタートボタンを押下すると、原稿搬送用の駆動部としての図示されない原稿搬送モータが駆動され、ピックアップローラ５４が回転させられ、原稿５３が原稿トレイ５２から繰り出される。そして、繰り出された原稿５３は、分離装置１０５に送られ、該分離装置１０５において、分離ローラ５５が回転させられて、原稿５３を搬送しようとし、分離パッド５７が原稿５３を停止させようとする。その結果、原稿５３は１枚ずつ分離させられて搬送路５６に送られる。
【００５１】
続いて、原稿５３は搬送路５６内を搬送ローラ対１０６によって搬送され、読取部位ｐ１に送られ、該読取部位ｐ１を通過する間に、原稿５３の画像が、ホームボジションに置かれた読取センサ７２によって読み取られる。このとき、原稿押え部材６１は、スプリング６０の付勢力によって、原稿５３を自動原稿搬送装置用読取ガラス７１に押し付ける。したがって、原稿５３は自動原稿搬送装置用読取ガラス７１から浮き上がることなく搬送される。
【００５２】
そして、画像の読取りが終了した原稿５３は、原稿すくい上げ部材７４によってすくい上げられ、排出路４９に送られ、排出ローラ対１０７によって自動原稿搬送装置５０外に排出され、スタッカ６４に積載される。
【００５３】
ところで、原稿５３が自動原稿搬送装置５０内を搬送される際に、搬送路５６内に進入したごみ、原稿５３が搬送路５６の内周面と擦れるのに伴って発生した紙粉等の粉塵が原稿５３と共に搬送され、自動原稿搬送装置用読取ガラス７１と原稿すくい上げ部材７４との隙間に進入することがある。その場合、前記粉塵が隙間を介して画像読取部７０内に進入し、読取センサ７２に付着すると、画像の読取り精度が低下してしまう。
【００５４】
そこで、前述されたように、本実施の形態においては、シール部材７７を、自動原稿搬送装置用読取ガラス７１、原稿すくい上げ部材７４及びフラットベッド用読取ガラス７５にわたって取り付けることによって、隙間を介して粉塵が画像読取部７０内に進入するのを防止するようにしている。
【００５５】
次に、原稿載置部１１１上に載置した冊子状の原稿の画像を読み取る場合について説明する。
【００５６】
図８は本発明の第１の実施の形態における冊子状の原稿の画像を読み取る場合の画像読取部の縦断面図、図９は本発明の第１の実施の形態における冊子状の原稿の画像を読み取る場合の画像読取部の横断面図である。
【００５７】
まず、操作者は、ヒンジｈｇ（図２）を回動中心として、自動原稿搬送装置５０を回動させ、スタッカ６４を開放する。続いて、操作者は、冊子状の原稿６５をフラットベッド用読取ガラス７５上に載置し、自動原稿搬送装置５０を回動させ、スタッカ６４を閉鎖し、前記操作パネル１００のスタートボタンを押下すると、前記走査用モータが駆動され、読取センサ７２がシャフト７３に沿ってホームボジションから原稿載置部１１１側に向けて移動させられ、フラットベッド用読取ガラス７５の下を副走査方向（図８における矢印Ａ方向）に移動させられ、その間に、原稿６５の画像が読取センサ７２によって読み取られる。なお、フラットベッド用読取ガラス７５上に用紙状の原稿５３を載置し、原稿５３の画像を読み取ることができる。
【００５８】
ところで、前記原稿６５の画像を読取センサ７２によって読み取る場合、図８に示されるように、原稿６５の背６５ａに近いのど部分ＡＲ１がフラットベッド用読取ガラス７５から浮き上がり、のど部分ＡＲ１の画像を良好に読み取ることが困難になる。
【００５９】
そこで、操作者は、スタッカ６４を介して、又は直接に、上方から（矢印Ｂ方向）原稿６５をフラットベッド用読取ガラス７５に押し付け、のど部分ＡＲ１をフラットベッド用読取ガラス７５に近接させる。
【００６０】
その結果、通常は、図７に示されるように、フラットベッド用読取ガラス７５は読取センサ７２と平行に延在させられ、フラットベッド用読取ガラス７５と読取センサ７２との間に隙間が形成されているが、原稿６５がフラットベッド用読取ガラス７５に押し付けられると、図９に示されるように、フラットベッド用読取ガラス７５が下方に湾曲させられ（撓み）、フラットベッド用読取ガラス７５と読取センサ７２とが近接させられるか、又は接触させられることがある。特に、本実施の形態においては、読取センサ７２としてイメージセンサが使用され、フラットベッド用読取ガラス７５と近接させて移動させられるので、フラットベッド用読取ガラス７５がわずかに湾曲するだけで、フラットベッド用読取ガラス７５と読取センサ７２とが接触してしまう。
【００６１】
また、前述されたように、前記フラットベッド用読取ガラス７５は、主走査方向における両縁の近傍において、リブ８１によって支持されるので、原稿６５がフラットベッド用読取ガラス７５に押し付けられるのに伴って、特に、中央部分が下方に湾曲させられる。したがって、フラットベッド用読取ガラス７５と読取センサ７２とは、主走査方向における中央部で近接させられるか、又は接触させられる。
【００６２】
さらに、本実施の形態において、前記シール部材７７は、自動原稿搬送装置用読取ガラス７１、原稿すくい上げ部材７４及びフラットベッド用読取ガラス７５にわたって取り付けられるので、フラットベッド用読取ガラス７５の下面より下方に位置させられる。そして、フラットベッド用読取ガラス７５が下方に湾曲させられるのに伴って、シール部材７７のフラットベッド用読取ガラス７５に貼着された部分も下方に湾曲させられる。
【００６３】
したがって、フラットベッド用読取ガラス７５と読取センサ７２とが、主走査方向における中央部で近接させられるか、又は接触させられると、シール部材７７の主走査方向における中央部の下面が、読取センサ７２の上面より下方に位置することがある。
【００６４】
その場合、原稿６５の画像を読み取るために読取センサ７２を副走査方向に移動させているときに、シール部材７７と読取センサ７２とが接触すると、読取センサ７２をそれ以上移動させることができなくなってしまう。
【００６５】
そこで、本実施の形態においては、フラットベッド用読取ガラス７５と読取センサ７２とが近接させられるか、又は接触させられることがあっても、読取センサ７２を円滑に移動させることができるように、シール部材７７に読取センサ７２を誘導する誘導部としての切込みが形成される。
【００６６】
図１０は本発明の第１の実施の形態における原稿載置部の裏面を示す斜視図、図１１は本発明の第１の実施の形態における切込みの拡大図である。
【００６７】
図に示されるように、シール部材７７は、主走査方向に延在させて、かつ、原稿すくい上げ部材７４及びフラットベッド用読取ガラス７５にわたって取り付けられ、シール部材７７におけるフラットベッド用読取ガラス７５側の縁部７７ａの中央に、所定の凹形状、本実施の形態においては、三角形の形状を有する誘導部としての切込み７７ｂが形成される。該切込み７７ｂは、前記縁部７７ａの所定の２箇所に設定された切込み開始点Ｋｓ１、Ｋｓ２から、前記縁部７７ａより自動原稿搬送装置用読取ガラス７１側の所定の箇所に設定された切込み終了点Ｋｅまで延びる第１、第２の切込み縁ｍ１、ｍ２を備える。なお、切込み終了点Ｋｅは、自動原稿搬送装置用読取ガラス７１と原稿すくい上げ部材７４との間の隙間よりフラットベッド用読取ガラス７５側に設定される。また、第１、第２の切込み縁ｍ１、ｍ２は、副走査方向に対して斜めに、かつ、左右対称に延び、第１、第２の傾斜部を構成する。
【００６８】
前記フラットベッド用読取ガラス７５及びシール部材７７が湾曲させられていない場合、切込み開始点Ｋｓ１、Ｋｓ２と切込み終了点Ｋｅとは同じ高さに置かれ、第１、第２の切込み縁ｍ１、ｍ２は水平に延在させられるが、フラットベッド用読取ガラス７５及びシール部材７７が湾曲させられると、切込み終了点Ｋｅは切込み開始点Ｋｓ１、Ｋｓ２より低くなり、第１、第２の切込み縁ｍ１、ｍ２は、切込み開始点Ｋｓ１、Ｋｓ２から切込み終了点Ｋｅにかけて、高さ方向において傾斜させて延在させられる。
【００６９】
したがって、原稿６５の画像を読み取るために読取センサ７２を自動原稿搬送装置用読取ガラス７１側に向けて移動させているときに、例えば、図１１に示されるように、フラットベッド用読取ガラス７５と読取センサ７２とが主走査方向における中央部で近接させられるか、又は接触させられると、シール部材７７の主走査方向における中央部の下面Ｓ１が、読取センサ７２の上面Ｓ２より下方に位置することがあるが、本実施の形態においては、シール部材７７の主走査方向における中央部に切込み７７ｂが形成されるので、読取センサ７２が縁部７７ａの位置に到達したときに、切込み開始点Ｋｓ１、Ｋｓ２は読取センサ７２の上面Ｓ２より上方に位置する。その結果、シール部材７７と読取センサ７２とは接触しない。
【００７０】
また、フラットベッド用読取ガラス７５及びシール部材７７が湾曲させられた場合、第１、第２の切込み縁ｍ１、ｍ２が切込み開始点Ｋｓ１、Ｋｓ２から切込み終了点Ｋｅにかけて傾斜させて延在させられるので、読取センサ７２が自動原稿搬送装置用読取ガラス７１側に向けて更に移動させられると、所定の位置で第１、第２の切込み縁ｍ１、ｍ２と読取センサ７２とが接触するが、それまでの間、シール部材７７と読取センサ７２とは接触しない。
【００７１】
そして、第１、第２の切込み縁ｍ１、ｍ２と読取センサ７２とが接触した後、読取センサ７２は第１、第２の切込み縁ｍ１、ｍ２と接触しながら移動させられるが、読取センサ７２と第１、第２の切込み縁ｍ１、ｍ２との接触は、線接触ではなく、点接触であるので、接触による抵抗は極めて小さい。したがって、シール部材７７が読取センサ７２の移動の妨げになることはないので、読取センサ７２を円滑に移動させることができる。なお、読取センサ７２は、第１、第２の切込み縁ｍ１、ｍ２と接触しながら移動させられる間、下方に逃げる。
【００７２】
なお、本実施の形態においては、切込み７７ｂが三角形の形状を有するので、第１、第２の切込み縁ｍ１、ｍ２は直線状に形成されるが、切込み７７ｂが半円形、楕円形等の形状を有するようにすることによって第１、第２の切込み縁を湾曲させることができる。
【００７３】
また、本実施の形態においては、シール部材７７におけるフラットベッド用読取ガラス７５側の縁部７７ａにだけ切込み７７ｂが形成されるようになっている。これは、原稿６５が押し付けられることによってフラットベッド用読取ガラス７５が湾曲することが多く、その結果、読取センサ７２が、フラットベッド用読取ガラス７５から自動原稿搬送装置用読取ガラス７１側に向けて移動する際に、シール部材７７と接触しやすくなるのに対して、自動原稿搬送装置用読取ガラス７１が湾曲することがなく、読取センサ７２が、ホームボジションからフラットベッド用読取ガラス７５側に向けて移動する際に、シール部材７７と接触することがないからである。
【００７４】
このように、本実施の形態においては、シール部材７７に三角形の形状を有する切込み７７ｂが形成されるので、原稿６５がフラットベッド用読取ガラス７５に押し付けられ、フラットベッド用読取ガラス７５が湾曲してシール部材７７と読取センサ７２とが接触することがあっても、接触抵抗を小さくすることができる。したがって、読取センサ７２を円滑に移動させることができる。
【００７５】
次に、本発明の第２の実施の形態について説明する。なお、第１の実施の形態と同じ構造を有するものについては、同じ符号を付与し、同じ構造を有することによる発明の効果については同実施の形態の効果を援用する。
【００７６】
図１２は本発明の第２の実施の形態における読取センサの斜視図である。
【００７７】
この場合、読取部としての読取センサ７２の上面Ｓ２（読取部位ｐ１（図４）と対向する面）に、読取センサ７２の導光体から第１の読取媒体としての用紙状の原稿５３、又は第の読取媒体としての冊子状の原稿６５に照射される光が乱反射しないように、導光体の上部を覆うように遮光部材９０が配設される。そして、該遮光部材９０の縁部９０ａ、９０ｂの主走査方向における中央部に、所定の凹形状、本実施の形態においては、三角形の形状を有する誘導部としての切込み９０ｃ、９０ｄが形成される。
【００７８】
該切込み９０ｃ、９０ｄの構造は同じであるので、切込み９０ｃだけについて説明すると、該切込み９０ｃは、前記縁部９０ａの所定の２箇所に設定された切込み開始点Ｎｓ１、Ｎｓ２から、前記縁部９０ａより第１の透過板としての自動原稿搬送装置用読取ガラス７１と反対側の所定の箇所に設定された切込み終了点Ｎｅまで延びる第１、第２の切込み縁ｑ１、ｑ２を備える。
【００７９】
したがって、原稿６５の画像を読み取るために読取センサ７２を自動原稿搬送装置用読取ガラス７１側に向けて移動させているときに、例えば、第２の透過板としてのフラットベッド用読取ガラス７５と読取センサ７２とが主走査方向における中央部で近接させられるか、又は接触させられると、シート部材としての、かつ、密封部材としてのシール部材７７の主走査方向における中央部の下面Ｓ１（図１１）が、読取センサ７２の上面Ｓ２より下方に位置することがあるが、縁部９０ａの主走査方向における中央部に切込み９０ｃが形成されるので、読取センサ７２がシール部材７７の縁部７７ａの位置に到達したときに、切込み開始点Ｎｓ１、Ｎｓ２はシール部材７７の下面Ｓ１より下方に位置する。したがって、シール部材７７と読取センサ７２とは接触しない。
【００８０】
そして、読取センサ７２が自動原稿搬送装置用読取ガラス７１側に向けて更に移動させられると、所定の位置で第１、第２の切込み縁ｑ１、ｑ２と読取センサ７２とが接触するが、それまでの間、シール部材７７と読取センサ７２とは接触しない。
【００８１】
続いて、第１、第２の切込み縁ｑ１、ｑ２とシール部材７７とが接触した後、読取センサ７２は、第１、第２の切込み縁ｑ１、ｑ２とシール部材７７とを接触させながら移動させられるが、シール部材７７と第１、第２の切込み縁ｑ１、ｑ２との接触は、線接触ではなく、点接触であるので、接触による抵抗は極めて小さい。したがって、シール部材７７が読取センサ７２の移動の妨げになることはないので、読取センサ７２を円滑に移動させることができる。なお、読取センサ７２は、第１、第２の切込み縁ｑ１、ｑ２と接触しながら移動させられる間、下方に逃げる。
【００８２】
このように、本実施の形態においては、遮光部材９０に三角形の形状を有する切込み９０ｃ、９０ｄが形成されるので、原稿６５がフラットベッド用読取ガラス７５に押し付けられ、フラットベッド用読取ガラス７５が湾曲してシール部材７７と読取センサ７２とが接触することがあっても、接触抵抗を小さくすることができる。したがって、読取センサ７２を円滑に移動させることができる。
【００８３】
次に、本発明の第３の実施の形態について説明する。
【００８４】
図１３は本発明の第３の実施の形態における読取センサの斜視図である。
【００８５】
図において、７２は読取部としての読取センサ、７２ａ、７２ｂは、該読取センサ７２の縁部である。該縁部７２ａ、７２ｂの上面の近傍の主走査方向における中央部に、所定の凹形状、本実施の形態においては、三角形の形状を有する誘導部としての切込み７２ｃ、７２ｄが形成される。なお、９１はレンズである。
【００８６】
前記各実施の形態においては、画像形成装置としてのプリンタ部２０に、露光装置としてのＬＥＤヘッドを備えた電子写真方式の画像形成部２８が配設されるようになっているが、プリンタ部２０に、レーザ方式、インクジェット方式、ドットマトリクスインパクト方式の画像形成部を配設することができる。
【００８７】
また、前記各実施の形態においては、読取センサ７２としてＣＩＳ（コンタクトイメージセンサ）センサが使用されるようになっているが、ＣＣＤイメージセンサを使用することができる。
【００８８】
なお、本発明は前記各実施の形態に限定されるものではなく、本発明の趣旨に基づいて種々変形させることが可能であり、それらを本発明の範囲から排除するものではない。
【符号の説明】
【００８９】
４０    スキャナ部
５３、６５    用紙
７２    読取センサ
７２ｃ、７２ｄ、７７ｂ、９０ｃ、９０ｄ    切込み
７７    シール部材
１１１    原稿載置部
ｍ１、ｍ２    第１、第２の切込み縁
【図１】
0005238046.tif 000002
【図２】
0005238046.tif 000003
【図３】
0005238046.tif 000004
【図４】
0005238046.tif 000005
【図５】
0005238046.tif 000006
【図６】
0005238046.tif 000007
【図７】
0005238046.tif 000008
【図８】
0005238046.tif 000009
【図９】
0005238046.tif 000010
【図１０】
0005238046.tif 000011
【図１１】
0005238046.tif 000012
【図１２】
0005238046.tif 000013
【図１３】
0005238046.tif 000014